(57)【要約】【課題】フロントウインドガラスやサイドウインドガラスへの映り込みを防ぐとともに、外来光の入り込みによってディスプレイが見え難くなることを防止して視認性を高めることにある。【解決手段】車両に搭載され、車室内Ｒにて車両情報を映し出すヘッドアップディスプレイ装置１において、車室内Ｒに配置されるインストルメントパネル３の車両前方側の先端部３１に設けられ、フロントウインドガラス２の車両幅方向の全幅に対応して形成されているとともに、車両幅方向の車両中心線Ｃの位置が車両前方側に凸状に膨らんだ湾曲形状に形成されている縦壁面状のディスプレイ部１１を備えており、ディスプレイ部１１の上部には、車室内側へ向かって延びる張り出し部１２が形成されている。【選択図】図３
2017061220.tif 000002
【特許請求の範囲】
【請求項１】
車両に搭載され、車室内にて車両情報を映し出すヘッドアップディスプレイ装置において、
車室内に配置されるインストルメントパネルの車両前方側の先端部に設けられ、フロントウインドガラスの車両幅方向の全幅に対応して形成されているとともに、車両幅方向の車両中心線の位置が車両前方側に凸状に膨らんだ湾曲形状に形成されている縦壁面状のディスプレイ部を備えており、
前記ディスプレイ部の上部には、車室内側へ向かって延びる張り出し部が形成されていることを特徴とするヘッドアップディスプレイ装置。
【請求項２】
前記ディスプレイ部の縦壁面には複数の孔が形成され、これら孔の背後に位置する前記インストルメントパネルの車両前方側には、空気調節機器のダクトが設けられていることを特徴とする請求項１に記載のヘッドアップディスプレイ装置。
【請求項３】
前記ディスプレイ部の縦壁面には複数の孔が形成され、これら孔の背後に位置する前記インストルメントパネルの車両前方側には、スピーカーが設けられていることを特徴とする請求項１に記載のヘッドアップディスプレイ装置。
【発明の詳細な説明】
【技術分野】
【０００１】
本発明は、車両情報を車室内の乗員に伝えるヘッドアップディスプレイ装置に関する。
【背景技術】
【０００２】
車両情報を車室内の乗員に伝える従来の装置としては、インストルメントパネルに設けられる各種メーターの表示がある。ところが、従来のメーターの表示による情報表示手段の場合は、運転時にメーターの表示を視認する際に、運転手の視線が車両進行方向から外れてしまうという不具合を有している。
この不具合を改善する情報表示手段として、近年では、ヘッドアップディスプレイ装置が提案され始めて来ている（例えば、特許文献１、２参照）。このようなヘッドアップディスプレイ装置は、ヘッドアップディスプレイに映し出される情報が多様化に対応できるように構成されたり、あるいは、後席を含めた乗員全員がフロントウインドガラスに映し出される情報を視認することが可能になっていたりするのみならず、単なるディスプレイではなく、他の用途にも併用できるディスプレイとしたりすることで使い勝手が格段に向上している。
【先行技術文献】
【特許文献】
【０００３】
【特許文献１】特開２０１４−６９７０３号公報
【特許文献２】特開２０１５−３７０７号公報
【発明の概要】
【発明が解決しようとする課題】
【０００４】
しかしながら、上述した特許文献１のヘッドアップディスプレイ装置は、運転手への情報提供システムでしかないものが多いので、ヘッドアップディスプレイに映し出される情報を運転手だけしか見ることができないという問題があった。
また、特許文献２のヘッドアップディスプレイ装置は、フロントウインドガラスに映し出される情報を乗員全員が視認できる一方、日差しが車両前方から差し込んでいる時には、フロントウインドガラスに映し出される情報の視認が難しくなるという問題があった。
【０００５】
本発明はこのような実状に鑑みてなされたものであって、その目的は、フロントウインドガラスやサイドウインドガラスへの映り込みを防ぐとともに、外来光の入り込みによってディスプレイが見え難くなることを防止して視認性を高めることが可能なヘッドアップディスプレイ装置を提供することにある。
【課題を解決するための手段】
【０００６】
上記従来技術の有する課題を解決するために、本発明は、車両に搭載され、車室内にて車両情報を映し出すヘッドアップディスプレイ装置において、車室内に配置されるインストルメントパネルの車両前方側の先端部に設けられ、フロントウインドガラスの車両幅方向の全幅に対応して形成されているとともに、車両幅方向の車両中心線の位置が車両前方側に凸状に膨らんだ湾曲形状に形成されている縦壁面状のディスプレイ部を備えており、前記ディスプレイ部の上部には、車室内側へ向かって延びる張り出し部が形成されている。
【０００７】
また、本発明の一態様において、前記ディスプレイ部の縦壁面には複数の孔が形成され、これら孔の背後に位置する前記インストルメントパネルの車両前方側には、空気調節機器のダクトが設けられている。
【０００８】
さらに、本発明の一態様において、前記ディスプレイ部の縦壁面には複数の孔が形成され、これら孔の背後に位置する前記インストルメントパネルの車両前方側には、スピーカーが設けられている。
【発明の効果】
【０００９】
上述の如く、本発明に係るヘッドアップディスプレイ装置は、車両に搭載され、車室内にて車両情報を映し出すものであって、車室内に配置されるインストルメントパネルの車両前方側の先端部に設けられ、フロントウインドガラスの車両幅方向の全幅に対応して形成されているとともに、車両幅方向の車両中心線の位置が車両前方側に凸状に膨らんだ湾曲形状に形成されている縦壁面状のディスプレイ部を備えており、前記ディスプレイ部の上部には、車室内側へ向かって延びる張り出し部が形成されているので、フロントウインドガラスやサイドウインドガラスへの映り込みを防止しながら、外来光の入り込みによってディスプレイが見え難くなることを防止できる。したがって、本発明のヘッドアップディスプレイ装置によれば、ディスプレイ部に映し出された車両情報を容易に視認できるとともに、車両前方及び車両側方の視認性の向上を図ることができる。
【００１０】
また、本発明のヘッドアップディスプレイ装置では、インストルメントパネルの前端部の全域をディスプレイ部としているので、運転時において運転手が車両進行方向に向いている視線を大きく逸らすことなく、車両情報を確実に視認することが可能となり、快適な運転操作を行うことができる。しかも、本発明のヘッドアップディスプレイ装置においては、外来光の入り込みがディスプレイ部に悪影響を及ぼすことはないので、ディスプレイの色や表示される文字や数字の色を変えることが可能となり、乗員の好みなどに合わせて色のバリエーションを持たすことができる。
さらに、本発明のヘッドアップディスプレイ装置では、前席だけでなく、後席側までディスプレイ部の縦壁面が向くことになるので、オーディオ情報などを容易に確認でき、使い勝手を増すことができる。
【００１１】
そして、本発明の一態様において、前記ディスプレイ部の縦壁面には複数の孔が形成され、これら孔の背後に位置する前記インストルメントパネルの車両前方側には、空気調節機器のダクトが設けられているので、張り出し部が、空気調節機器から送り出された空気を後席を含めた車室内全域に行き渡らせる空気のガイド面となり、空気調節機器の使用性能を向上させることができる。
【００１２】
さらに、本発明の一態様において、前記ディスプレイ部の縦壁面には複数の孔が形成され、これら孔の背後に位置する前記インストルメントパネルの車両前方側には、スピーカーが設けられているので、張り出し部が、スピーカーから流れ出る音を後席を含めた車室内全域に行き渡らせる音響の反射面となり、音響装置の使用性能を向上させることができる。
【図面の簡単な説明】
【００１３】
【図１】本発明の実施形態に係るヘッドアップディスプレイ装置が設けられている車室内のインストルメントパネルを車両後方側から示す正面図である。
【図２】図１におけるインストルメントパネルを車両後方側から示す斜視図である。
【図３】図１におけるＸ−Ｘ線断面図である。
【発明を実施するための形態】
【００１４】
以下、本発明を図示の実施の形態に基づいて詳細に説明する。
図１〜図３は本発明の実施形態に係るヘッドアップディスプレイ装置を示すものである。
【００１５】
図１〜図３に示すように、本発明の実施形態に係るヘッドアップディスプレイ装置１は、自動車などの車両に搭載され、車室内Ｒにて乗員が視認することができる車両情報を映し出す表示装置であり、車両情報取得手段、表示制御手段等を備えている。この車両情報としては、車室内Ｒの乗員に伝える必要がある情報であり、例えば、走行速度などの運転操作に必要な情報、走行する道路情報、車外温度や時間などの現況を把握するのに必要な情報、風量や車室内Ｒの設定温度などの空気調節機器の作動情報、オーディオ機器などの音楽情報等が挙げられる。
【００１６】
本実施形態のヘッドアップディスプレイ装置１は、図１〜図３に示すように、フロントウインドガラス２の車両下方に位置するインストルメントパネル３の車両前方側の先端部３１に設けられている。このインストルメントパネル３は、内部に設けられるオーディオ機器類（図示せず）や空気調節機器のダクト（図示せず）などの各種機能部品、ステアリングサポートメンバー（図示せず）などの構造部品等を覆い隠す大型樹脂部品であり、車室内Ｒで車両前方に配置されているとともに、車両幅方向の全幅にわたって設けられている。
また、インストルメントパネル３の上面部３２は、車両前後方向及び車両幅方向に沿って延在する略平面形状に形成されており、上面部３２の車両前方側に位置する先端部３１は、車両前方へ向かって斜め下方に傾斜する傾斜面となっている。なお、フロントウインドガラス２は、車室内Ｒの車両前方側において、車両後方へ向かって斜め上方に傾斜して配置されている。
【００１７】
本実施形態のヘッドアップディスプレイ装置１は、図１〜図３に示すように、インストルメントパネル３の車両前方側の先端部３１に設けられる縦壁面状のディスプレイ部１１を備えている。このディスプレイ部１１の縦壁面１１ａは、フロントウインドガラス２の車両幅方向の全幅に対応して形成されているとともに、車両幅方向の車両中心線Ｃの位置が平面視で車両前方側に凸状に膨らんだ湾曲形状に形成されている。また、ディスプレイ部１１の縦壁面１１ａは、車両情報の文字、数字、記号等を表示する表示面となるため、インストルメントパネル３の車両前方側の先端部３１において車両上方へ立ち上がった垂直な縦壁面ではなく、当該先端部３１より車両前方へ向かって少し倒れるような角度で斜め上方に傾斜した縦壁面に形成されている。
これによって、ディスプレイ部１１の縦壁面１１ａを車室内Ｒの乗員全員の視点位置に向けることが可能になり、車室内Ｒの乗員がディスプレイ部１１の縦壁面１１ａを容易に視認できるようになっている。しかも、ディスプレイ部１１の車両上下方向の長さ（高さ）は、表示する車両情報の文字、数字、記号等の視認が容易となる大きさに設定されており、適用する車種のインストルメントパネル３の大きさや情報量などによって変更できるように構成されている。
【００１８】
また、本実施形態のディスプレイ部１１の上部には、図３に示すように、車室内Ｒ側へ向かって延びる張り出し部１２が形成されている。この張り出し部１２は、ディスプレイ部１１の上部から略水平に突出して形成されており、ディスプレイ部１１の車両幅方向の全領域に設けられている。しかも、張り出し部１２の長さは、フロントウインドガラス２やサイドウインドガラス（図示せず）への映り込みや、ディスプレイ部１１の縦壁面１１ａへの外来光の入り込みを防げる大きさに設定されている。
【００１９】
さらに、本実施形態のディスプレイ部１１の縦壁面１１ａには、図１及び図２に示すように、複数（もしくは多数）の貫通孔１３が形成されている。これら貫通孔１３は、ディスプレイ部１１の車両幅方向の左右両側寄りに位置し、かつ所定の幅方向の長さを有する領域内で、車両上下方向及び車両幅方向に間隔を空けて形成されており、この領域は、スピーカー部１１Ａとして構成されている。これら貫通孔１３が形成されたスピーカー部１１Ａの背後に位置するインストルメントパネル３の車両前方側には、図示しないスピーカーが設けられている。また、ディスプレイ部１１の車両幅方向の左右両側寄りに位置するスピーカー部１１Ａの上部にも、張り出し部１２が形成されている。
そのため、スピーカー部１１Ａの背後にあるスピーカーからの音は、ディスプレイ部１１の縦壁面１１ａの貫通孔１３を通って車室内Ｒ側に流れ出ることになる。その際、張り出し部１２が音響の反射面として機能するため、スピーカーから流れ出た音が後席を含めた車室内Ｒの全域に行き渡り、車室内Ｒが音楽視聴などに適した快適空間とすることが可能となり、音響装置の使用性能が高められるようになっている。
【００２０】
本発明の実施形態に係るヘッドアップディスプレイ装置１では、車室内Ｒに配置され、略平面形状の上面部３２を有するインストルメントパネル３の車両前方側の先端部３１に設けられ、フロントウインドガラス２の車両幅方向の全幅に対応して形成され、かつ車両幅方向の車両中心線Ｃの位置が平面視で車両前方側に凸状に膨らんだ湾曲形状に形成されているディスプレイ部１１を備え、該ディスプレイ部１１は縦壁面１１ａを有しており、ディスプレイ部１１の上部に車室内Ｒ側へ向かって突出して延びる張り出し部１２がディスプレイ部１１の車両幅方向の全領域に形成されているので、フロントウインドガラス２やサイドウインドガラス（図示せず）への映り込みを防ぐことができるとともに、外来光がディスプレイ部１１の縦壁面１１ａに入り込んで文字や数字などが見え難くなることを防止できる。したがって、本実施形態のヘッドアップディスプレイ装置１によれば、ディスプレイ部１１の縦壁面１１ａに映し出された車両情報を容易に視認でき、車両前方及び車両側方の視認性の向上を図ることができる。
【００２１】
また、本実施形態のヘッドアップディスプレイ装置１では、インストルメントパネル３の車両前方側の先端部３１の全域がディスプレイ部１１として利用可能に構成されているので、運転時において運転手が車両進行方向に向いている視線を大きく逸らして車両情報を視認しなくても、ディスプレイ部１１の車両情報を容易にかつ確実に視認でき、快適な運転操作を確保することができる。しかも、本実施形態のヘッドアップディスプレイ装置１においては、外来光の入り込みがディスプレイ部１１に悪影響を及ぼさないので、光が当たっても見え難くなることを避ける必要から、透明色ディスプレイに黒色表示や、黒色ディスプレイに白色表示などに限られていた従来のディスプレイ装置と比べて、ディスプレイの色や表示される文字や数字や記号の色を変えることが可能となり、助手席や後席の乗員が楽しむレジャー用などに合わせて色のバリエーションを持たせた配色の表示にすることができ、利便性の向上を図ることができる。
さらに、本発明のヘッドアップディスプレイ装置１では、前席の乗員だけでなく、後席の乗員に対してもディスプレイ部１１の縦壁面１１ａが向いており、ディスプレイ部１１のオーディオ情報などを容易に確認することが可能になるので、乗員の使い勝手を増すことができる。
【００２２】
以上、本発明の実施の形態につき述べたが、本発明は既述の実施の形態に限定されるものではなく、本発明の技術的思想に基づいて各種の変形及び変更が可能である。
【００２３】
例えば、既述の実施の形態においては、ディスプレイ部１１の車両幅方向の左右両側寄りの縦壁面１１ａに複数の貫通孔１３が形成され、これら貫通孔１３によってスピーカー部１１Ａが構成されているが、図１及び図２の括弧書きで示すように、スピーカー部１１Ａに代えて空調部１１Ｂに構成されていても良い。この場合、貫通孔１３が形成された空調部１１Ｂの背後に位置するインストルメントパネル３の車両前方側には、図示しない空気調節機器のダクトが設けられている。これによって、空気調節機器のダクトから送り出された空気が空調部１１Ｂの貫通孔１３を通って車室内Ｒに流れ、空気のガイド面となる張り出し部１２を介して、後席を含めた車室内Ｒの全域に空気を行き渡らせることになるので、空気調節機器の使用性能を向上させ、車室内Ｒを快適な空間にすることができる。
【符号の説明】
【００２４】
１  ヘッドアップディスプレイ装置
２  フロントウインドガラス
３  インストルメントパネル
１１  ディスプレイ部
１１ａ  縦壁面
１１Ａ  スピーカー部
１１Ｂ  空調部
１２  張り出し部
１３  貫通孔
３１  インストルメントパネルの車両前方側の先端部
３２  上面部
Ｃ  車両幅方向の車両中心線
Ｒ  車室内
【図１】
2017061220.tif 000003
【図２】
2017061220.tif 000004
【図３】
2017061220.tif 000005